(57)【要約】【課題】最小の材料を用い、簡単な製造工程で製造でき、名刺の出し入れが容易な低コストの卓上型カレンダー包装体を提供すること。【解決手段】卓上型カレンダーを収納する透明な樹脂フィルム包装体であって、カレンダー収容空間を形成する包装本体の一側面に名刺収容空間が形成されいる。【選択図】図９
0003175624.tif 000002
【実用新案登録請求の範囲】
【請求項１】
卓上型カレンダーを収納する透明な樹脂フィルム包装体であって、  上部に開閉蓋部（１Ｆ）を備え、カレンダー収容空間（３）を有する包装本体（１Ｅ）の一側面に、該包装本体（１Ｅ）の上端部と下端部との間で、開口部（４）を備えた名刺収容空間（５）を備えていることを特徴とする卓上型カレンダーを収納する透明な樹脂フィルム包装体。
【請求項２】
前記カレンダー収容空間（３）と前記名刺収容空間（５）が、同じ幅の第１シート（１Ａ）の第２シート（２Ａ）に対する折り曲げと、該シート（１Ａ，２Ａ）の側縁部の溶着により形成されていることを特徴とする請求項１に記載の卓上型カレンダーを収納する透明な樹脂フィルム包装体。
【請求項３】
前記名刺収容空間（５）の開口部（４）が、前記包装本体（１Ｅ）の上下の方向に対して所定の角度で傾斜されていることを特徴とする請求項１又は請求項２に記載の卓上型カレンダーを収納する透明な樹脂フィルム包装体。
【考案の詳細な説明】
【技術分野】
【０００１】  本考案は、卓上型カレンダー（均等物を含む）を収納し、包装するところの卓上型カレンダー包装体に関する。
【背景技術】
【０００２】  卓上型カレンダー（卓上でのみ用いるという意味ではない）としては、月別綴り、即ち、一ヶ月毎に捲るタイプのものが汎用されている。尤も、日捲り、周捲り、数か月毎の捲りを行うタイプのものも多用されてもいるが、大きさ、見易さから月別綴りで構成されているものは便利である。【０００３】  そして、このような卓上カレンダーは、一般市販のものも多いが、有用性、低コスト、大きさなどの理由から販促用としても多用されている。  こうした販促用として利用される際に、月別綴りのカレンダーを、そのまま持ち歩くことはできず、綴りが纏まったままとなるように、当然ながら包装をしなければならない。【０００４】  このため、一つのカレンダー毎に包装されることになるが、販促用としては、低コストの包装であること、中身がカレンダーであることが一見して分かる方が好ましく、カレンダーであることが分かれば、随時使用できる有用性に気付くことと、販促用として受け取っても負担に感じない社会通念があることで受け取っても負担に感じないことがある。  そのため、このような要求を満たす包装として、一般に、透明な樹脂フィルムの包装袋体が使用されている。【０００５】  このような卓上型カレンダー包装体としては、格別なものは存在せず、一般の開閉自在の袋状の包装体が用いられている。この種の包装体及び製造方法としては、例えば、次の技術が知られている。【特許文献１】特開２０１０−１１９４１５。
【特許文献２】特開２０１２−６６２６。
【特許文献３】特開２０１１−１５７０７４。
【考案の開示】
【考案が解決しようとする課題】
【０００６】  上記卓上型カレンダーを包装する従来技術として、単にカレンダーを包装するだけでなく、販促用として、販売目的の購買者に対する販売者の存在を認知してもらうために、或いは、購買者が不在である場合に、カレンダーの贈り主が誰であるかを知らしめるために、通常、名刺を添付することが行われており、その際、前記包装体の中に名刺を入れる方法が採られていた。【０００７】  上述した包装体は、袋状であって、その一部には粘着性（感圧性）を付与して、開封可能に構成されているのが一般的である。  しかし、粘着性の開封であっても、極く薄いフィルムの包装体では、丁寧な開封を行わないと包装体が破けてしまう虞があり、こうした構造では、名刺の挿入が面倒であった。【０００８】  こうした問題を解消するために、例えば、包装体（カレンダー用ではない）の一部に名刺入れを形成する方法も提案されてはいるが、しかし、この種の包装体は、構造も複雑で、製造コストがかかると共に名刺の出し入れが簡単ではないという問題点があった。【０００９】  本考案は、かかる問題点に鑑み、最小の材料を用い、簡単な製造工程で製造でき、名刺の出し入れが容易な低コストの卓上型カレンダー包装体を提供することを目的とする。
【課題を解決するための手段】
【００１０】  本考案にかかる第１の卓上型カレンダー包装体の製造方法は、上記目的達成のために、卓上型カレンダーを収納する透明な樹脂フィルム包装体であって、上部に開閉蓋部（１Ｆ）を備え、カレンダー収容空間（３）を有する包装本体（１Ｅ）の一側面に、該包装本体（１Ｅ）の上端部と下端部との間で、開口部（４）を備えた名刺収容空間（５）を備えていることを特徴とする。【００１１】  本考案において用いられる透明な樹脂フィルムは、この種の包装に用いられる既存の合成樹脂フィルム乃至シートであれば適宜のものを用い得る。  また、包装体の開閉を固定するための粘着部は、感圧性の接着剤を用いるのが好ましいが、単なるラッピングのように素材の表面平滑性による接着機能を備える場合も、本考案の接着部に含まれる。  更に、粘着部の形成（粘着剤の塗布工程）については、名刺収容空間の形成工程或いは溶着工程の前後でも良いものである。  また、本考案は、卓上型カレンダーを収納用としての考案であるが、卓上型カレンダーと均等物（例えば、手帳、メモ帳、小物化粧品サンプルなど）の包装体である場合には、当然に技術的範囲に含まれるものである。
【考案の効果】
【００１２】  本考案の製造方法によれば、２枚のフィルムのシート材の一方の一部を他方側に折り返すという簡単な工程を導入することで、名刺収納空間を備えた卓上型カレンダーを収納する透明な樹脂フィルム包装体を容易に、そして低コストで製造できる利点がある。  そして、卓上型カレンダーを収納する透明な樹脂フィルム包装体は、これに開口部を備えた名刺収容空間を備えることで、従来のように包装体の開封をしなくとも名刺の収容或いは取り出しが非常に簡便、容易に行い得ることとなり、販促用として便利に用いことができる点がある。そして、透明な樹脂フィルムによる包装体であるので、カレンダーは勿論、名刺の収納有無を外観で容易に視認できる。  従って、本考案のその他の具体的な利点は、以下の説明から明らかとなろう。
【考案を実施するための最良の形態】
【００１３】  本考案の実施に際しては、前記カレンダー収容空間（３）と前記名刺収容空間（５）が、同じ幅の第１シート（１Ａ）の第２シート（２Ａ）に対する折り曲げと、該シート（１Ａ，２Ａ）の側縁部の溶着により形成されていることが好ましい。  このような構成とすれば、２枚のシートとその一方の他方に対する折り曲げと溶着によって簡単に構成できる。【００１４】  また、前記名刺収容空間（５）の開口部（４）が、前記包装本体（１Ｅ）の上下の方向に対して所定の角度で傾斜されていることが好ましい。  このように構成すれば、名刺を前記名刺収容空間（５）に収納する場合、上から下への差込み方法だけでなく、横方向に滑らせて、名刺の角部を容易に開口部（４）から挿入させることができる。  この構成は、一方の第２のシートの端部を斜めにカットしたものを用いるだけで容易に形成することができる。
【図面の簡単な説明】
【００１５】
【図１】本考案にかかる包装体の一製造方法の一工程を示す概略図。
【図２】本考案にかかる包装体の一製造方法の一工程を示す概略図。
【図３】本考案にかかる包装体の一製造方法の一工程を示す概略図。
【図４】本考案にかかる包装体の一製造方法の一工程を示す概略図。
【図５】本考案にかかる包装体の別の製造方法の一工程を示す概略図。
【図６】本考案にかかる包装体の別の製造方法の一工程を示す概略図。
【図７】本考案にかかる包装体の別の製造方法の一工程を示す概略図。
【図８】本考案にかかる包装体の別の製造方法の一工程を示す概略図。
【図９】本考案にかかる包装体の全体斜視図。
【図１０】本考案にかかる包装体の図９におけるＡ−Ａ断面図。
【図１１】本考案にかかる包装体の別態様を示す全体斜視図。
【図１２】本考案にかかる包装体の別態様の製造方法の一工程を示す概略図。
【図１３】本考案にかかる包装体の別態様の製造方法の一工程を示す概略図。
【図１４】本考案にかかる包装体の更に別態様を示す概略図。
【実施例】
【００１６】  本考案にかかる卓上型カレンダーを収納する透明な樹脂フィルム包装体の製造方法に関し、異なる幅の２枚の長尺シートを用いる第１の方法について、図１乃至図４を参照して説明する。【００１７】  図１に示すように、所定の幅と長さを有する透明な樹脂フィルム（ここでは、素材としてＰＰを用いているが、ＯＰＰ、ＰＥＴ等のラッピングに用いる適宜の公知の素材を用いてよい。）により形成した第１長尺シート１Ａの一側面１ａに、該長尺シート１Ａよりも短い幅の第２長尺シート２Ａを、長手方向において両端縁から夫々所定の間隔Ｌ１，Ｌ２を隔てて位置させる。即ち、ここでは、前記第１、第２長尺シート１Ａ，２Ａは，その長尺方向に搬送されることになる。  そして、前記第２長尺シート２Ａの幅は、収容するカレンダーの幅（後述のＬ３参照：又は長辺のものでは長さ）よりもやや長い寸法に設定されている。【００１８】  次いで、図２に示すように、前記第１長尺シート１Ａの一側端の所定長さＬ１の折り返し部１Ｂを前記第２長尺シート２Ａの一側端２ｄで折り返して該第２長尺シート２Ａに重ねる。そして、図３に示すように、前記第１長尺シート１Ａと第２長尺シート２Ａを、その幅方向において、収納カレンダー幅Ｌ３の間隔でもって、加熱されたシーラー６により、順次、切断と同時に熱溶着により固定されることになる。【００１９】  これによって、前記第１長尺シート１Ａの一側面１ａと前記第２長尺シート２Ａの一側面２ａとの間が、カレンダー収容空間３に形成されることになる。そして、前記第２長尺シート２Ａの他側面２ｃと前記第１長尺シート１Ａの折り返し部１Ｂの一側面１ａとの間を、開口部４を備えた名刺収容空間５に形成される。【００２０】  更に、図４に示すように、前記第１長尺シート１Ａの他側端の折り返し部１ｃの端縁部側に、ローラー７によって感圧接着剤を塗布して粘着部１ｅを形成し、以って、該折り返し部１ｃの前記第２長尺シート２Ａの側への折り返しにより前記カレンダー収容空間３を開閉できるようにしてある。【００２１】  次に、同じ幅の２枚の長、短尺シートを用いる場合の第２の製造方法について、図５乃至図７を参照して以下説明する。尚、上記第１の製造方法の説明における同一概念部材、部位については同じ番号を用いている。  先ず、図５に示すように、所定の幅と長さを有する第１長尺シート１Ｄの一側面１ａに、該第１長尺シート１Ｄと略同一幅で短い長さの第２短尺シート２Ｄを、長手方向において両端縁から夫々所定の間隔Ｌ１，Ｌ２を隔てて位置させる。即ち、ここでは、両シートは、一つの包装体を完成されるための長さに予め切断されている。尤も、流れ作業工程を採用する場合として、２枚の長尺シートを同じ長手方向に搬送し、第２短尺シート２Ｄの方を短く切断することで、一連の流れ作業として実施可能である。【００２２】  次いで、図２に示すように、前記第１長尺シート１Ｄの一側端の折り返し部１Ｂを前記第２短尺シート２Ｄの一側端２ｄで折り返して該第１長尺シート２Ｄに重ねる。  次いで、図３に示すように、加熱されたシーラー６により、前記第１長尺シート１Ｄと第２短尺シート２Ｄの両側縁を熱溶着により固定する。【００２３】  更に、前記第１長尺シート１Ｄの一��面１ａと前記第２短尺シート２Ｄの一側面２ａとの間を、カレンダー収容空間３に形成する一方、前記第２短尺シート２Ｄの他側面２ｂと前記第１長尺シート１Ｄの折り返し部１Ｂの一側面１ａとの間を、開口部４を備えた名刺収容空間５に形成する。【００２４】  更に、前記第１長尺シート１Ｄの他側端の折り返し部１Ｂの端縁部１ｂに粘着部１ｅをローラー７により感圧接着剤を塗布することで形成し、以って、該折り返し部１Ｂの前記短尺シート２Ｄ側への折り返しにより前記カレンダー収容空間３を閉じるようにしてある、【００２５】  このようにして第１又は第２の方法により製造された卓上型カレンダーを収納する透明な樹脂フィルム包装体は、図９に示すようなカレンダー収容空間３を形成する包装本体１Ｅの一側面に、名刺収容空間５を備えた構成のものとなる。  図１０では、カレンダー収容空間３及び名刺収容空間５を誇張して描いているが、包装体としては、実際にはフィルムシートが密着した状態で、その素材変形で十分に厚みのあるカレンダーを収納し得るし、また、薄い名刺も収容できるものである。尚、図中、８はカレンダー、９は名刺を示す。【００２６】  次に、上記卓上型カレンダーを収納する透明な樹脂フィルム包装体の一部変形の態様例について、図１１乃至図１３に基づいて説明する。  上記実施例と同様に、上部に開閉蓋部１Ｆを備え、カレンダー収容空間３を有する包装本１Ｅの一側面に、該包装本体１Ｅの上端部と下端部との間で、開口部４を備えた名刺収容空間５を備えている点は同じであり、また、前記カレンダー収容空間３と前記名刺収容空間５が、同じ幅の第１シート１Ａの第２シート２に対する折り曲げと、該シート１Ａ，２Ａの側縁部の溶着により形成されている点についても同じである。【００２７】  しかし、ここでは、前記名刺収容空間５の開口部４が、前記包装本体１Ｅの上下の方向に対して所定の角度で傾斜されている点が異なる。  このような構成とすれば、名刺を前記名刺収容空間５に収納する場合、上から下への差込み方法だけでなく、横方向に滑らせて、名刺の角部を容易に開口部４から挿入することができる。【００２８】  かかる開口部４の構造は、一方の第１シート１Ｄの端部を斜めにカットしたものを用いるだけで容易に形成することで構成可能であり、図１２に示すように、所定の幅と長さを有する第１シート１Ｄの一側面１ａに、該第１シート１Ｄと略同一幅で短い長さの第２シート２Ｄを、長手方向において両端縁から夫々所定の間隔Ｌ１，Ｌ２を隔てて位置させるが、この第１シート１Ｄの下端部が斜めに予めカットされている。【００２９】  従って、図１３に示すように、前記第１長尺シート１Ｄの一側端の折り返し部１Ｂを前記第２短尺シート２Ｄの一側端２ｄで折り返して該第１長尺シート２Ｄに重ねると、自動的にその下端部が斜めの開口部４を形成することになるのである。  その他の溶着工程、粘着部の形成工程については、例えば、上述した第２の製造方法と同じであるので、ここでの説明は省略する。【００３０】  尚、上述の第１の製造方法により構成する場合、図１４に示すように、前記第１長尺シート１Ａの下端部側を、波形Ｗ（ジグザグ）に形成したものを準備しておけば、同様に構成可能である。この���合、一つの波形で２個分の包装体となる。即ち、前記波形の谷部と頂部の位置でシーラーによるカット（破線がカット位置を示す）がなされることになるためであり、前記開口部４は、順次反対向きの斜めのカット状態のものとなる。  図中、矢印は、前記第１長尺シート１Ａの搬送方向を示し、同じ方向の破線は、折り曲げ位置を示す。  勿論、前記第１長尺シート１Ａの下端部側として、一つの波形で１個分の包装体となるような片流れ乃至鋸屋根のような形状のものを準備してもよい。
【産業上の利用可能性】
【００３１】  本考案は、卓上型カレンダーの包装体として考案されたものであるが、手帳、メモ帳など、一般に販促用として利用される物品（均等物）の包装体としても利用できるもので、その応用範囲は広い。
【符号の説明】
【００３２】１Ａ：第１の長尺シート１Ｂ：折り返し部１ａ：第１長尺シートの一側面１ｃ：折り返し部１ｅ：粘着部２Ａ：第２長尺シート２ｄ：第２長尺シートの一側端２ａ：第２長尺シートの一側面２ｃ：第２長尺シートの他側面３：カレンダー収容空間４：開口部５：名刺収容空間Ｌ１：一方の間隔Ｌ２：他方の間隔Ｌ３：収納カレンダー幅
【図１】
0003175624.tif 000003
【図２】
0003175624.tif 000004
【図３】
0003175624.tif 000005
【図４】
0003175624.tif 000006
【図５】
0003175624.tif 000007
【図６】
0003175624.tif 000008
【図７】
0003175624.tif 000009
【図８】
0003175624.tif 000010
【図９】
0003175624.tif 000011
【図１０】
0003175624.tif 000012
【図１１】
0003175624.tif 000013
【図１２】
0003175624.tif 000014
【図１３】
0003175624.tif 000015
【図１４】
0003175624.tif 000016